(57)【要約】【課題】配管接続部から被密封液体の漏洩が発生したとき、又は、発生する以前に、漏れ対策を容易かつ迅速に行え、しかも、熟練した技能が無くとも安定した漏れ防止効果を確実に得ることが可能な漏れ防止具を提供する。【解決手段】管継手を介して２本以上のパイプ端部Ｐａを相互に接続した配管接続部を包囲する一対のカバー半体10，10から成る包囲カバー１を備え、カバー半体10は、２本以上のパイプ端部Ｐａ，Ｐａの軸心Ｌｐ，Ｌｐを含む平面Ｓに沿った合わせ面11と、パイプ端部Ｐａに対応する半円弧状凹部12と、を有し、カバー半体10，10の各々に閉環状のパッキン２，２が配設され、パッキン２は、カバー半体10の合わせ面11及び半円弧状凹部12に対応し、合わせ面11においてはパッキン２が相互に当接し、半円弧状凹部12においてはパイプ端部Ｐａに当接して、包囲カバー１が配管接続部Ｊを密封包囲する。【選択図】図２
2017106477.tif 000002
【特許請求の範囲】
【請求項１】
管継手（Ｋ）を介して２本以上のパイプ端部（Ｐａ）を相互に接続した配管接続部（Ｊ）を包囲する一対のカバー半体（10）（10）から成る包囲カバー（１）を備え、
上記カバー半体（10）は、２本以上の上記パイプ端部（Ｐａ）（Ｐａ）の軸心（Ｌｐ）（Ｌｐ）を含む平面（Ｓ）に沿った合わせ面（11）と、上記パイプ端部（Ｐａ）に対応する半円弧状凹部（12）と、を有し、
上記カバー半体（10）（10）の各々に閉環状のパッキン（２）（２）が配設され、
上記パッキン（２）は、上記カバー半体（10）の上記合わせ面（11）及び上記半円弧状凹部（12）に対応し、上記合わせ面（11）においては上記パッキン（２）が相互に当接し、上記半円弧状凹部（12）においては上記パイプ端部（Ｐａ）に当接して、上記包囲カバー（１）が上記配管接続部（Ｊ）を密封包囲することを特徴とする漏れ防止具。
【請求項２】
上記カバー半体（10）は、チーズ型の上記管継手（Ｋ）に接続した３本の上記パイプ端部（Ｐａ）（Ｐａ）（Ｐａ）に対応可能な３つの上記半円弧状凹部（12）（12）（12）を有し、
エルボ型の上記管継手（Ｋ）又はソケット型の上記管継手（Ｋ）に接続されている上記パイプ端部（Ｐａ）に非対応となる上記半円弧状凹部（12）に上記パッキン（２）を介して配設される閉塞栓（３）を具備する請求項１記載の漏れ防止具。
【請求項３】
上記パッキン（２）は、上記カバー半体（10）の上記半円弧状凹部（12）に対応する半円弧状シール部（22）を有し、
上記半円弧状シール部（22）と上記パイプ端部（Ｐａ）の間に介装されるシール内径調節用の半円弧型のパッキン片（５）を具備する請求項１又は２記載の漏れ防止具。
【発明の詳細な説明】
【技術分野】
【０００１】
本発明は、漏れ防止具に関する。
【背景技術】
【０００２】
従来、管継手を介して２本以上のパイプ端部を相互に接続した配管接続部から、水や湯等の被密封液体の漏洩が発生したとき、断水して管継手を交換するが、病院やホテル等の配管においては、直ぐに断水を行うことができないため、漏洩が発生したとき、又は、発生する以前に、上記配管接続部に、止水用粘着テープ（例えば、特許文献１参照）を巻着していた。
【先行技術文献】
【特許文献】
【０００３】
【特許文献１】特開平２−１３２１７３号公報
【発明の概要】
【発明が解決しようとする課題】
【０００４】
しかし、配管接続部の凹凸部や弯曲部に、粘着テープを密に巻着する作業は、手間と時間がかかるといった問題や、作業者の技能（熟練度）によって漏れ防止効果（止水性）が安定しないという問題があった。
【０００５】
そこで、本発明は、配管接続部から被密封液体の漏洩が発生したとき、又は、発生する以前に、漏れ対策を容易かつ迅速に行え、しかも、熟練した技能が無くとも安定した漏れ防止効果（止水性）を確実に得ることが可能な漏れ防止具の提供を目的とする。
【課題を解決するための手段】
【０００６】
上記目的を達成するために、本発明の漏れ防止具は、管継手を介して２本以上のパイプ端部を相互に接続した配管接続部を包囲する一対のカバー半体から成る包囲カバーを備え、上記カバー半体は、２本以上の上記パイプ端部の軸心を含む平面に沿った合わせ面と、上記パイプ端部に対応する半円弧状凹部と、を有し、上記カバー半体の各々に閉環状のパッキンが配設され、上記パッキンは、上記カバー半体の上記合わせ面及び上記半円弧状凹部に対応し、上記合わせ面においては上記パッキンが相互に当接し、上記半円弧状凹部においては上記パイプ端部に当接して、上記包囲カバーが上記配管接続部を密封包囲するものである。
【０００７】
また、上記カバー半体は、チーズ型の上記管継手に接続した３本の上記パイプ端部に対応可能な３つの半円弧状凹部を有し、エルボ型の上記管継手又はソケット型の上記管継手に接続されている上記パイプ端部に非対応となる上記半円弧状凹部に上記パッキンを介して配設される閉塞栓を具備するものである。
また、上記パッキンは、上記カバー半体の上記半円弧状凹部に対応する半円弧状シール部を有し、上記半円弧状シール部と上記パイプ端部の間に介装されるシール内径調節用の半円弧型のパッキン片を具備する。
【発明の効果】
【０００８】
本発明によれば、配管接続部から水や湯等の被密封液体の漏れが発生したとき、又は、発生する以前、のいずれにおいても、断水を行うことなく、漏れ対策を行うことができる。漏れ対策を容易かつ迅速に行うことができる。熟練した技能がなくとも確実に漏れを防止できると共に、安定したシール性（止水性）を得ることができる。特に、病院やホテル等で、被密封流体を２４時間年中送流させる必要がある循環型給湯配管の配管接続部に対して、漏れ対策を行うのに好適である。
【図面の簡単な説明】
【０００９】
【図１】本発明の実施の一形態を示し、密封包囲状態の一例を示す正面図である。
【図２】密封包囲状態の側面図である。
【図３】合体準備状態の一例を示す正面図である。
【図４】カバー半体の一例を示す全体図であって、（ａ）は正面図であり、（ｂ）は平面図であり、（ｃ）は側面図である。
【図５】パッキンの一例を示す全体図であって、（ａ）は正面図であり、（ｂ）は平面図であり、（ｃ）は側面図である。
【図６】要部拡大断面図である。
【図７】要部拡大断面図である。
【図８】管継手がエルボ型の場合の密封包囲状態を示す正面図である。
【図９】管継手がエルボ型の場合の合体準備状態を示す正面図である。
【図１０】管継手がソケット型の場合の合体準備状態を示す正面図である。
【図１１】要部拡大正面図である。
【図１２】要部拡大斜視図である。
【図１３】管継手が異径のソケット型の場合の合体準備状態を示す正面図である。
【図１４】要部拡大断面図である。
【発明を実施するための形態】
【００１０】
以下、図示の実施形態に基づき本発明を詳説する。
本発明に係る漏れ防止具は、図１乃至図３に示すように、管継手Ｋを介して２本以上のパイプ端部Ｐａを相互に接続した配管接続部Ｊを包囲する一対のカバー半体10，10から成る包囲カバー１と、カバー半体10，10の各々に配設される閉環状のパッキン２，２と、一対のカバー半体10，10を合体させると共に一対のパッキン２，２を一対のカバー半体10，10にて挟持状に保持するための締め付け手段８と、を備えている。
言い換えると、包囲カバー１は、２本以上のパイプ端部Ｐａ，Ｐａの軸心Ｌｐ，Ｌｐを含む平面Ｓ（以下、基準平面Ｓと呼ぶ場合がある）に沿って２分割される一対のカバー半体10，10を備えている。
【００１１】
図１及び図２に示すように、一対のカバー半体10，10で一対のパッキン２，２を挟持状に保持しつつ、締め付け手段８で一対のカバー半体10，10を合体させて包囲カバー１を形成して、配管接続部Ｊを密封包囲した状態を、密封包囲状態又は合体状態と呼ぶ場合がある。
図３に示すように、一対のカバー半体10，10の一方に配管接続部Ｊを対応させた状態を、合体準備状態と呼ぶ場合がある。
なお、図３と図９乃至図13において、パッキン２は、他部材との判別を容易にするために格子状の網掛け模様を付与して図示している。
【００１２】
図１乃至図４に示すように、基準平面Ｓに沿った（平行状の）合わせ面11と、パイプ端部Ｐａに対応する半円弧状凹部12と、管継手Ｋ及びパイプ端部Ｐａに対応し主として管継手Ｋを収容（対応）するための横断面半円弧状の収容凹部13と、を有している。
【００１３】
図例において、カバー半体10は、チーズ型の管継手Ｋ（チーズ継手Ｋｔ）に接続した３本のパイプＰａ，Ｐａ，Ｐａに夫々対応可能な３つの半円弧状凹部12，12，12と、チーズ継手Ｋｔ及びパイプ端部Ｐａに対応する平面視（正面視）Ｔ字状の収容凹部13と、を有している。
つまり、包囲カバー１（合体状態の一対のカバー半体10，10）は、一対のカバー半体10，10の半円弧状凹部12，12で形成されるパイプ挿通用のカバー開口部１ｇを３つ有し、さらに、一対のカバー半体10，10の収容凹部13，13で形成されるチーズ継手型内部空間部を有する形状（チーズ継手形状）である。
【００１４】
さらに、カバー半体10は、合わせ面11及び半円弧状凹部12に、パッキン２が配設される凹溝部15を有している。
凹溝部15は、カバー外方側の溝側壁面15ａと、カバー内方側の溝側壁面15ｂと、溝底面15ｃと、を有する横断面コの字状である。
図６に示すように、凹溝部15の溝幅寸法Ｗ15は、パッキン２の横断面幅寸法Ｗ２よりも大きく形成している。より具体的には、溝幅寸法Ｗ15を、横断面幅寸法Ｗ２の１．２倍以上１．９倍以下に設定している。
そして、パッキン２を、凹溝部15のカバー外方側の溝側壁面15ａに寄せて配設している。
このように構成することで、パッキン２，２がカバー半体10から圧縮力を受けた場合に、主としてカバー内方側へ広がるように弾性変形し、水や湯等の被密封液体からの液圧（水圧）を受け止めやすくすると共に、カバー外方側へ飛び出すのを防止する。
【００１５】
図５に示すように、パッキン２は、横断面一文字状の細帯閉環状であって、合わせ面11に対応する（基準平面Ｓに平行状の）平板状シール部21と、３つの半円弧状凹部12に夫々対応する３つの半円弧状シール部22と、を有している。
また、密封包囲状態で、一対のパッキン２，２は、一方の半円弧状シール部22と他方の半円弧状シール部22で、パイプシール用の円形状の開口パッキン部２ｇ（図２参照）を３つ形成する。
【００１６】
半円弧状シール部22は、頂部肉厚寸法ｔ22を、平板状シール部21の板厚寸法ｔ21と同等に設定している。同等に設定しているとは、頂部肉厚寸法ｔ22を板厚寸法ｔ21の０．８倍以上１．２倍以下に設定することをいう。
半円弧状シール部22の内周面22ｂの曲率半径Ｒｂの内周中心点Ｑｂに対して、半円弧状シール部22の外周面22ａの曲率半径Ｒａの外周中心点Ｑａを、頂部22ｄから離間するラジアル外方向Ｙへ所定寸法Ｚだけ平行移動状に偏心させて、半円弧状シール部22の頂部22ｄから半円弧状シール部22の裾部22ｅに向ってシール肉厚寸法が増加するように設定している。このように設定することで、密封包囲状態において、半円弧状シール部22の頂部22ｄ側の圧縮率と裾部22ｅ側の圧縮率を同等にでき略均一にパイプ端部Ｐａに密着して、確実かつ安定して所定のシール性能を発揮できる。
さらに、半円弧状シール部22の外周面22ａと、平板状シール部21の背面21ａとが接するシール隅部26が肉厚となるようにＲ状に設けている。
【００１７】
そして、図７に示すように、密封包囲状態において、パッキン２は、平板状シール部21の表て面21ｂ同士が相互に当接（圧接）し、半円弧状シール部22の内周面22ｂがパイプ端部Ｐａに当接（圧接）し、平板状シール部21の背面21ａが合わせ面11の溝底面15ｃに圧接し、半円弧状シール部22の外周面22ａが半円弧状凹部12の溝底面15ｃに圧接して、シール作用を発揮する。
【００１８】
さらに、平板状シール部21に対応する（合わせ面11に設けられた）凹溝部15の溝底面15ｃと、半円弧状シール部22に対応する（半円弧状凹部12に設けられた）凹溝部15の溝底面15ｃと、が接する（面取状乃至Ｒ状の）溝角部15ｅが、Ｒ状のシール隅部26を、平板状シール部21の表て面21ｂ及び半円弧状シール部22の内周面22ｂ側へ押圧するように食い込む。なお、参考例として、この図７に溝角部15ｅが食い込まない場合のシール隅部26を二点鎖線で図示している。
このように、密封包囲状態において、シール隅部26に溝角部15ｅが食い込むように構成することで、シール隅部26近傍とパイプ端部Ｐａとの密着力や、一方のパッキン２のシール隅部26近傍と他方のパッキン２のシール隅部26近傍との密着力を向上できる。また、カバー内方からの液圧（水圧）に耐えられる密着力（圧接力）が得られる。
【００１９】
ここで、密封包囲状態で半円弧状シール部22の内周面22ｂ（開口パッキン部２ｇ）が密着可能な外径寸法を有するパイプ端部Ｐａを第１外径パイプ端部Ｐａと呼ぶと、一対のカバー半体10，10及び一対のパッキン２，２は、チーズ継手Ｋｔを介して３本の第１外径パイプ端部Ｐａが相互に接続された配管接続部Ｊを密封包囲して漏れを防止する。
【００２０】
なお、本発明において「漏れ防止」や「漏れを防止」とは、配管接続部Ｊから漏れる被密封液体を配管接続部Ｊの近傍（包囲カバー１の内部）に留めて、配管接続部Ｊの周囲にある床面、壁面、天井面、機械や電気系設備、他の配管部等に、被密封液体がかからないようにする（包囲カバー１の外部に拡散させない）ことである。したがって、本発明の漏れ防止具は、配管接続部Ｊから被密封液体が漏れる以前、又は、漏れた後、いずれのタイミングで配管接続部Ｊを密封包囲（配管接続部Ｊに外嵌状に取着）して用いても良い。
【００２１】
次に、図８乃至図10に示すように、エルボ型の管継手Ｋ（エルボ継手Ｋｅ）又はソケット型の管継手Ｋ（ソケット継手Ｋｓ）に接続されている２本パイプ端部Ｐａ，Ｐａに非対応となる半円弧状凹部12（12Ｂ）に半円弧状シール部22（22Ｂ）を介して配設される閉塞栓３を備えている。つまり、閉塞栓３は、パイプ端部Ｐａに非対応となる半円弧状シール部22Ｂに対応して配設される。
【００２２】
閉塞栓３は、カバー外方側に開口する有底筒状であって、パイプ端部Ｐａに非対応の半円弧状シール部22Ｂに密着可能な横断面円形の擬似パイプ部31と、収容凹部13においてパイプ端部Ｐａに非対応の半円弧状凹部12Ｂ近傍に配設される補てん部32と、パイプ端部Ｐａに非対応となる半円弧状凹部12Ｂ近傍のカバー内方側壁面16に対面状に配設される抜け防止用の第１ストッパ面33と、パイプ端部Ｐａに非対応となる半円弧状凹部12Ｂ近傍のカバー外方側壁面17に対面状に配設される没入防止用の第２ストッパ面34と、を有している。
【００２３】
言い換えると、図８に示すように、閉塞栓３は、密封包囲状態で、パイプ端部Ｐａが対応していないカバー開口部１ｇに開口パッキン部２ｇを介して配設され、パイプ端部Ｐａに非対応の開口パッキン部２ｇと密着して、カバー開口部１ｇを閉塞する。
【００２４】
つまり、一対のカバー半体10，10と、一対のパッキン２，２と、１つの閉塞栓３とで、２本の第１外径パイプ端部Ｐａ，Ｐａを相互に接続するエルボ継手Ｋｅ又はソケット継手Ｋｓを有する配管接続部Ｊを密封包囲して漏れを防止する。
【００２５】
また、閉塞栓３の補てん部32は、収容凹部13において、エルボ継手Ｋｅ又はソケット継手Ｋｓと、パイプ端部Ｐａと、に非対応の部位（空間）に対応する（配設される）。
つまり、配管接続部Ｊから被密封液体が漏れている場合に、密封包囲状態の包囲カバー１の内部空間部に貯液される被密封液体（死水）の貯液量を減少させる（死水の貯まる虞のある容積を減少させる）。
【００２６】
閉塞栓３は、補てん部32が円筒形状の擬似パイプ部31よりも大径の有底円筒形状であって、擬似パイプ部31と補てん部32との段差端面を第１ストッパ面33とし、擬似パイプ部31のカバー外方側端部（先端部）に設けた外鍔状面を第２ストッパ面34としている。
【００２７】
次に、図11乃至図14に示すように、パッキン２の半円弧状シール部22に対応する半円弧型のパッキン片５を備えている。
パッキン片５は、半円弧状シール部22の内周面曲率半径Ｒｂ（図５参照）よりも小さい曲率半径を有する内周面５ｂを有している。
【００２８】
ここで、第１外径パイプ端部Ｐａよりも小径のパイプ端部Ｐａを第２外径パイプ端部Ｐａ´と呼ぶと、密封包囲状態において、パッキン片５の内周面５ｂは、第２外径パイプ端部Ｐａ´に密着可能に設定している。
また、密封包囲状態で半円弧状シール部22の内周面22ｂに密着可能な外周面５ａ（図14参照）を有している。
つまり、パッキン片５は、パッキン２の半円弧状シール部22で対応できない小径のパイプ端部Ｐａ´をシールするためのシール内径調整用の部品である。
【００２９】
例えば、図13に示すように異径ソケット型の管継手Ｋ（異径ソケット継手Ｋｓ´）を介して第１外径パイプ端部Ｐａと第２外径パイプ端部Ｐａ´を相互に接続した配管接続部Ｊを密封包囲する場合に、第２外径パイプ端部Ｐａ´に対応する半円弧状凹部12（12Ｃ）に半円弧状シール部22（22Ｃ）を介してパッキン片５を配設して、シール内径寸法を調節することが可能となる。
【００３０】
言い換えると、図14に示すように、密封包囲状態で、一対のパッキン片５，５は、第２外径パイプ端部Ｐａ´に対応するカバー開口部１ｇに開口パッキン部２ｇを介して配設され、開口パッキン部２ｇよりも小径の円形状の開口シール部５ｇを形成して、第２外径パイプ端部Ｐａ´に密着して、第２外径パイプ端部Ｐａと開口パッキン部２ｇの間を密封する。
【００３１】
また、図11及び図12に示すように、パッキン片５は、半円弧状シール部22のカバー外方側面22ｆに係止してパッキン片５がカバー内方側へ移動する阻止するための（位置決め用の）半円外鍔状の係止部51を有している。
また、パッキン片５は、合体準備状態（半円弧状シール部22の内周面22ｂに配設した状態）で、基準平面Ｓに沿った、一対の円弧終端部５ｄ，５ｄが平板状シール部21の表て面21ｂから突出するように形成している。
このように形成することで、密封包囲状態において、パッキン片５の円弧終端部５ｄ近傍が十分に圧縮され、他方のパッキン片５の円弧終端部５ｄと、第２外径パイプ端部Ｐａ´と、半円弧状シール部22の内周面22ｂと、が相互に圧接して所定のシール性能が確実に発揮される。
【００３２】
そして、図13に示すように、一対のカバー半体10，10と、一対のパッキン２，２と、一対のパッキン片５，５と、１つの閉塞栓３とで、第１外径パイプ端部Ｐａと第２外径パイプ端部Ｐａ´とを相互に接続する異径のソケット型の管継手Ｋ（異径ソケット継手Ｋｓ´）を有する配管接続部Ｊに対応できる。
また、図示省略するが、異径のエルボ型の管継手Ｋを有する配管接続部Ｊにも対応できる。
また、図示省略するが、一対のカバー半体10，10と、一対のパッキン２，２と、一対のパッキン片５，５とで、２本の第１外径パイプ端部Ｐａと１本の第２外径パイプ端部Ｐａ´とを接続する異径のチーズ型の管継手Ｋを有する配管接続部Ｊに対応可能である。
また、図示省略するが、一対のカバー半体10，10と、一対のパッキン２，２と、４つのパッキン片５，５と、１つの閉塞栓３とで、第２外径パイプ端部Ｐａ´同士を相互に接続する小径用のソケット継手Ｋｓ又は小径用のエルボ継手Ｋｅを有する配管接続部Ｊに対応できる。
また、一対のカバー半体10，10と、一対のパッキン２，２と、６つのパッキン片５，５とで、３本の第２外径パイプ端部Ｐａ´を相互に接続する小径用のチーズ継手Ｋｔを有する配管接続部Ｊに対応可能である。
【００３３】
また、図11乃至図13に示すように、第２外径パイプ端部Ｐａ´に対応する半円弧状凹部12Ｃ（半円弧状シール部22Ｃ）近傍のカバー外方側壁面17に、ネジ部材91にて着脱自在に取着される板状の抜け止め部材６を備えている。
抜け止め部材６は、カバー半体10に取着状態で、第２外径パイプ端部Ｐａ´に接触しないように形成された半円弧状逃がし部60と、半円弧状シール部22Ｃに配設されたパッキン片５の表て面（カバー外方面）52に対面状に配設されるパッキン片抜け防止用の規制面61と、を有している。
また、図２及び図４に示すように、カバー半体10は、半円弧状凹部12近傍に、ネジ部材91が螺着するネジ孔19を有している。
【００３４】
また、図１乃至図３、図８乃至図10と図13に示すように、一方のカバー半体10と他方のカバー半体10は、連結手段７によって、揺動開閉自在連結されている。
図１乃至図３に於て、連結手段７は、カバー半体10において凹溝部15よりもカバー外方側に設けた通し孔71と、一対のカバー半体10，10の通し孔71，71を挿通する環状連結部材72と、を備えている。
環状連結部材72は、樹脂製の線状結束バンドを環状に自己係合させたもの、或いは、金属製リング部材である。
このように、連結することで、高所での作業において、一対のカバー半体10，10の一方を落下させてしまうような事故を防止できると共に、作業者が一人でも容易かつ迅速に一対のカバー半体10，10を合体できる。
【００３５】
締め付け手段８は、カバー半体10において凹溝部15よりもカバー外方側に設けた複数の貫孔18，18に夫々挿通する複数のボルト部材81と、複数のボルト部材81に夫々螺着する複数のナット部材82と、を備えたボルト・ナット結合である。
締め付け手段８の締め付け力によって、一対のカバー半体10，10を、相互に引き寄せて、配管接続部Ｊに、一対のパッキン２，２を介して外嵌状（挟持状）に取着可能である。
【００３６】
カバー半体10及び抜け止め部材６は、金属製であって、特に、耐腐蝕性や防錆性に優れるＳＣＳ１３等のステンレス鋳鋼が望ましい。
また、パッキン２及びパッキン片５は、ゴム製であって、特に、耐塩素性（耐塩素水性）に優れるエチレン・プロピレン・ジエンゴム（ＥＰＤＭ）が好ましい。
閉塞栓３は、金属製であって、特に、耐腐蝕性や耐圧性に優れるＣＡＣ４０６等の青銅鋳物が望ましい。
【００３７】
なお、本発明は、設計変更可能であって、閉塞栓３は、有底円筒状に限らず中実形状（円柱状）であっても良い。閉塞栓３の材質は自由であって、金属製に限らず、樹脂製、ゴム製とするも良い。締め付け手段８は、一対のカバー半体10，10の一方に貫孔18を設け、他方に、ナット部（雌ネジ孔）を設けた、ボルト・ナット結合とするも良い。図例において、３つの半円弧状シール部22の内周面22ｂの曲率半径Ｒｂは同じ（同等）に設定にしているが、例えば、３つの内の１つを小径に設定して（相違させて）、パッキン片５を用いずに、異径チーズ型の管継手Ｋを密封包囲可能にしても良い。
【００３８】
以上のように本発明の漏れ防止具は、管継手Ｋを介して２本以上のパイプ端部Ｐａを相互に接続した配管接続部Ｊを包囲する一対のカバー半体10，10から成る包囲カバー１を備え、カバー半体10は、２本以上のパイプ端部Ｐａ，Ｐａの軸心Ｌｐ，Ｌｐを含む平面Ｓに沿った合わせ面11と、パイプ端部Ｐａに対応する半円弧状凹部12と、を有し、カバー半体10，10の各々に閉環状のパッキン２，２が配設され、パッキン２は、カバー半体10の合わせ面11及び半円弧状凹部12に対応し、合わせ面11においてはパッキン２が相互に当接し、半円弧状凹部12においてはパイプ端部Ｐａに当接して、包囲カバー１が配管接続部Ｊを密封包囲するので、配管接続部Ｊから水や湯等の被密封液体の漏れが発生したとき、又は、発生する以前、のいずれにおいても、断水を行うことなく、漏れ対策を行うことができる。漏れ対策を容易かつ迅速に行うことができる。熟練した技能がなくとも確実かつ安定して止水でき、漏れが発生した配管接続部Ｊの周囲が被密封液体で濡れるのを防止できる。特に、病院やホテル等で、被密封流体を２４時間年中送流させる必要がある循環型給湯配管の配管接続部Ｊに対して、漏れ対策を行うのに好適である。
【００３９】
また、カバー半体10は、チーズ型の管継手Ｋに接続した３本のパイプ端部Ｐａ，Ｐａ，Ｐａに対応可能な３つの半円弧状凹部12，12，12を有し、エルボ型の管継手Ｋ又はソケット型の管継手Ｋに接続されているパイプ端部Ｐａに非対応となる半円弧状凹部12にパッキン２を介して配設される閉塞栓３を具備するので、管継手Ｋが、チーズ型、エルボ型、ソケット型、のいずれの場合であっても、配管接続部Ｊを容易かつ確実に密封包囲（シール）でき、漏れを防止できる。漏れ対策を行う現場にて、様々な形状の管継手Ｋに容易かつ迅速に対応できる。カバー半体10及びパッキン２を多種類製造する必要が無く、金型等のイニシャルコスト（初期費用）を大幅に削減できる。
【００４０】
また、パッキン２は、カバー半体10の半円弧状凹部12に対応する半円弧状シール部22を有し、半円弧状シール部22とパイプ端部Ｐａの間に介装されるシール内径調節用の半円弧型のパッキン片５を具備するので、相互に異なる外径のパイプ端部Ｐａ同士を異径型の管継手Ｋを介して接続した配管接続部Ｊであっても、容易かつ確実に密封包囲（シール）できる。漏れ対策を行う現場にて、様々な外径寸法のパイプ端部Ｐａに容易かつ迅速に対応できる。カバー半体10及びパッキン２を多種類製造する必要が無く、金型等のイニシャルコスト（初期費用）を大幅に削減できる。
【符号の説明】
【００４１】
１  包囲カバー
２  パッキン
３  閉塞栓
５  パッキン片
10  カバー半体
11  合わせ面
12  半円弧状凹部
15  凹溝部
15ａ  溝側壁面
22  半円弧状シール部
Ｊ  配管接続部
Ｋ  管継手
Ｐａ  パイプ端部
Ｓ  平面
Ｌｐ  軸心
【図１】
2017106477.tif 000003
【図２】
2017106477.tif 000004
【図３】
2017106477.tif 000005
【図４】
2017106477.tif 000006
【図５】
2017106477.tif 000007
【図６】
2017106477.tif 000008
【図７】
2017106477.tif 000009
【図８】
2017106477.tif 000010
【図９】
2017106477.tif 000011
【図１０】
2017106477.tif 000012
【図１１】
2017106477.tif 000013
【図１２】
2017106477.tif 000014
【図１３】
2017106477.tif 000015
【図１４】
2017106477.tif 000016
【手続補正書】
【提出日】平成29年1月25日(2017.1.25)
【手続補正１】
【補正対象書類名】特許請求の範囲
【補正対象項目名】全文
【補正方法】変更
【補正の内容】
【特許請求の範囲】
【請求項１】
管継手（Ｋ）を介して２本以上のパイプ端部（Ｐａ）（Ｐａ）を相互に接続した配管接続部（Ｊ）を包囲する一対のカバー半体（10）（10）から成る包囲カバー（１）と、上記カバー半体（10）（10）の各々に配設される閉環状のパッキン（２）（２）と、を備え、
上記カバー半体（10）は、２本以上の上記パイプ端部（Ｐａ）（Ｐａ）の軸心（Ｌｐ）（Ｌｐ）を含む平面（Ｓ）に沿った合わせ面（11）と、チーズ型の管継手（Ｋ）に接続した３本の上記パイプ端部（Ｐａ）（Ｐａ）（Ｐａ）に夫々対応する３つの半円弧状凹部（12）（12）（12）と、を有し、
上記パッキン（２）は、上記合わせ面（11）に対応する平板状シール部（21）と、３つの上記半円弧状凹部（12）に夫々対応する３つの半円弧状シール部（22）と、を有し、
上記パッキン（２）の平板状シール部（21）が相互に当接すると共に上記半円弧状シール部（22）が上記パイプ端部（Ｐａ）に当接して、チーズ型の管継手（Ｋ）を有する上記配管接続部（Ｊ）を、密封包囲可能に構成した漏れ防止具に於て、
エルボ型の管継手（Ｋ）又はソケット型の管継手（Ｋ）に接続されている上記パイプ端部（Ｐａ）に非対応の上記半円弧状シール部（22）に密着可能な擬似パイプ部（31）を有する閉塞栓（３）を具備し、上記非対応の半円弧状シール部（22）に上記閉塞栓（３）を対応させて、２本の上記パイプ端部（Ｐａ）（Ｐａ）を相互に接続するエルボ型の管継手（Ｋ）又はソケット型の管継手（Ｋ）を有する上記配管接続部（Ｊ）を、密封包囲可能に構成し、
さらに、上記半円弧状シール部（22）と上記パイプ端部（Ｐａ）の間に介装されるシール内径調節用の半円弧型のパッキン片（５）を具備し、相互に異なる外径の上記パイプ端部（Ｐａ）（Ｐａ）の内の小径側に一対の上記パッキン片（５）（５）を配設して、相互に異なる外径の上記パイプ端部（Ｐａ）同士を接続する異径型の管継手（Ｋ）を有する上記配管接続部（Ｊ）を、密封包囲可能に構成したことを特徴とする漏れ防止具。
【請求項２】
上記カバー半体（10）は、上記パッキン（２）が配設される凹溝部（15）を、有し、
上記凹溝部（15）は、溝幅寸法（Ｗ15）を、上記パッキン（２）の横断面幅寸法（Ｗ２）の１．２倍以上１．９倍以下に設定し、
上記パッキン（２）は、上記凹溝部（15）のカバー外方側の溝側壁面（15ａ）に寄せて配設している請求項１記載の漏れ防止具。
【請求項３】
上記パッキン（２）は、上記半円弧状シール部（22）の頂部（22ｄ）から上記半円弧状シール部（22）の裾部（22ｅ）に向かってシール肉厚寸法が増加するように設定している請求項１又は２記載の漏れ防止具。
【手続補正２】
【補正対象書類名】明細書
【補正対象項目名】０００６
【補正方法】変更
【補正の内容】
【０００６】
上記目的を達成するために、本発明の漏れ防止具は、管継手を介して２本以上のパイプ端部を相互に接続した配管接続部を包囲する一対のカバー半体から成る包囲カバーと、上記カバー半体の各々に配設される閉環状のパッキンと、を備え、上記カバー半体は、２本以上の上記パイプ端部の軸心を含む平面に沿った合わせ面と、チーズ型の管継手に接続した３本の上記パイプ端部に夫々対応する３つの半円弧状凹部と、を有し、上記パッキンは、上記合わせ面に対応する平板状シール部と、３つの上記半円弧状凹部に夫々対応する３つの半円弧状シール部と、を有し、上記パッキンの平板状シール部が相互に当接すると共に上記半円弧状シール部が上記パイプ端部に当接して、チーズ型の管継手を有する上記配管接続部を、密封包囲可能に構成した漏れ防止具に於て、エルボ型の管継手又はソケット型の管継手に接続されている上記パイプ端部に非対応の上記半円弧状シール部に密着可能な擬似パイプ部を有する閉塞栓を具備し、上記非対応の半円弧状シール部に上記閉塞栓を対応させて、２本の上記パイプ端部を相互に接続するエルボ型の管継手又はソケット型の管継手を有する上記配管接続部を、密封包囲可能に構成し、さらに、上記半円弧状シール部と上記パイプ端部の間に介装されるシール内径調節用の半円弧型のパッキン片を具備し、相互に異なる外径の上記パイプ端部の内の小径側に一対の上記パッキン片を配設して、相互に異なる外径の上記パイプ端部同士を接続する異径型の管継手を有する上記配管接続部を、密封包囲可能に構成したものである。
【手続補正３】
【補正対象書類名】明細書
【補正対象項目名】０００７
【補正方法】変更
【補正の内容】
【０００７】
また、上記カバー半体は、上記パッキンが配設される凹溝部を、有し、上記凹溝部は、溝幅寸法を、上記パッキンの横断面幅寸法の１．２倍以上１．９倍以下に設定し、上記パッキンは、上記凹溝部のカバー外方側の溝側壁面に寄せて配設しているものである。
また、上記パッキンは、上記半円弧状シール部の頂部から上記半円弧状シール部の裾部に向かってシール肉厚寸法が増加するように設定している。
【手続補正４】
【補正対象書類名】明細書
【補正対象項目名】００４１
【補正方法】変更
【補正の内容】
【００４１】
１  包囲カバー
２  パッキン
３  閉塞栓
５  パッキン片
10  カバー半体
11  合わせ面
12  半円弧状凹部
15  凹溝部
15ａ  溝側壁面
21 平板状シール部
22  半円弧状シール部
22ｄ 頂部
22ｅ 裾部
Ｊ  配管接続部
Ｋ  管継手
Ｐａ  パイプ端部
Ｓ  平面
Ｌｐ  軸心
Ｗ２ 横断面幅寸法
Ｗ15 溝幅寸法
【手続補正５】
【補正対象書類名】図面
【補正対象項目名】図５
【補正方法】変更
【補正の内容】
【図５】
2017106477.tif 000017